(57)【要約】【課題】  従来の薄型のまつ毛カール器は、全体が薄めであるために使用時にやや不安定であり、外出先などで短時間で作業を行う必要があるときの取り扱いをさらに便利にすることが望まれている。同様に、外出先で附属品を交換するときに容易に交換できて取り扱い易いものとすることが望まれている。そこで、本発明は、使用時に安定的に使用することができ、附属品の交換も容易に行えて取り扱いの便利なまつ毛カール器を提供することを目的とする。【解決手段】  まつ毛を上方から押圧する上押圧部と、まつ毛を下方から押圧する下押圧部を有し、それぞれの押圧部に挟圧部が設けられ、使用時に瞼に接する上押圧部の正面の少なくとも一部に上押圧部よりも摩擦係数の大きな瞼当て部が設けられている。【選択図】  図１
2005312712.tif 000002
【特許請求の範囲】
【請求項１】
まつ毛を上方から押圧する上押圧部と、まつ毛を下方から押圧する下押圧部を有し、それぞれの押圧部に挟圧部が設けられ、使用時に瞼に接する上押圧部の正面の少なくとも一部に上押圧部よりも摩擦係数の大きな瞼当て部が設けられていることを特徴とするまつ毛カール器。
【請求項２】
瞼当て部は上押圧部の挟圧部から間隔を置いた上方に設けられている請求項１記載のまつ毛カール器。
【請求項３】
瞼当て部は上押圧部の長さ方向に亘って一連に延びている請求項１又は請求項２記載のまつ毛カール器。
【請求項４】
瞼当て部が設けられる上押圧部の部分に、少なくとも一対の貫通孔が間隔を置いて設けられ、瞼当て部と一体に形成された巻き付き部が貫通孔を通って前記両貫通孔の間の上押圧部に巻き付いている請求項１乃至請求項３記載のまつ毛カール器。
【請求項５】
巻き付け部は、瞼当て部と一体に切れ目なく連結して上押圧部に巻き付いている請求項４記載のまつ毛カール器。
【請求項６】
巻き付け部は、瞼当て部の上縁と下縁を一体に連結するように上押圧部に巻き付いている請求項５記載のまつ毛カール器。
【請求項７】
巻き付け部は瞼当て部の両端部及び中央部に存在する請求項４乃至請求項６記載のまつ毛カール器。
【請求項８】
まつ毛を上方から押圧する上押圧部と、まつ毛を下方から押圧する下押圧部を有し、それぞれの押圧部に挟圧部が設けられ、下押圧部はそれが設けられている基台部よりも弾力性のある材料で形成され、且つ下押圧部はその弾力性により基台部に設けた溝に着脱自在に装着可能であるまつ毛カール器において、下押圧部の前記溝に嵌合している基部と前記溝から露出している頭部との境において頭部の少なくとも一方の側面が基部よりも張り出すように段部が形成されていることを特徴とするまつ毛カール器。
【請求項９】
予備の下押圧部を収納するためのスペア溝を有し、下押圧部の挟圧部及び底部がスペア溝の両内側面に圧接するように嵌合して収納される請求項８記載のまつ毛カール器。
【請求項１０】
まつ毛を上方から押圧する上押圧部が設けられた把持部と、まつ毛を下方から押圧する下押圧部を有する基台部とを含み、それぞれの押圧部に挟圧部が設けられ、前記基台部は上下に一定範囲摺動可能となるように把持部に取り付けられ、まつ毛カール器の背面側に取り付けたレバーの操作により基台部が摺動してまつ毛カール器の正面側でまつ毛の挟圧が行われるまつ毛カール器において、把持部の奥行きの長さは把持部の縦の長さ及び横の長さのいずれよりも小さく形成され、且つ把持部の一方の側部はそれと同じ側のまつ毛カール器の他の側部より膨出する膨出部が形成されていることを特徴とするまつ毛カール器。
【請求項１１】
膨出部は外側に凸の弧状をなしている請求項１０記載のまつ毛カール器。
【発明の詳細な説明】
【技術分野】
【０００１】
本発明は、主に一般女性が使用するまつ毛カール器に関する。
【背景技術】
【０００２】
まつ毛を上方から押圧する上押圧部が設けられた把持部と、まつ毛を下方から押圧する下押圧部を有する基台部とを含み、それぞれの押圧部に挟圧部が設けられ、基台部は上下に一定範囲摺動可能となるように把持部に取り付けられ、まつ毛カール器の背面側に取り付けたレバーの操作により基台部が摺動してまつ毛カール器の正面側でまつ毛の挟圧が行われるまつ毛カール器は存在している（例えば、特許文献１参照。）。
【特許文献１】特開２００１−２０４５３５号公報
【発明の開示】
【発明が解決しようとする課題】
【０００３】
前記特許文献１のまつ毛カール器は全体が薄めに形成され、レバーも折畳み式であったから全体的にコンパクトであり、ハンドバッグに収納するのに便利であって評判が良い。しかし、全体が薄めであるために使用時にやや不安定であり、外出先などで短時間で作業を行う必要があるときの取り扱いをさらに便利にすることが望まれている。同様に、外出先で附属品を交換するときに容易に交換できて取り扱い易いものとすることが望まれている。そこで、本発明は、使用時に安定的に使用することができ、附属品の交換も容易に行えて取り扱いの便利なまつ毛カール器を提供することを目的とする。
【課題を解決するための手段】
【０００４】
本発明の請求項１は、まつ毛を上方から押圧する上押圧部と、まつ毛を下方から押圧する下押圧部を有し、それぞれの押圧部に挟圧部が設けられ、使用時に瞼に接する上押圧部の正面の少なくとも一部に上押圧部よりも摩擦係数の大きな瞼当て部が設けられている構成である。
【０００５】
請求項２は、瞼当て部が上押圧部の挟圧部から間隔を置いた上方に設けられている要素が請求項１に限定的に付加された構成であり、請求項３は、瞼当て部が上押圧部の長さ方向に亘って一連に延びている要素が請求項１又は請求項２に限定的に付加された構成である。
【０００６】
請求項４は、瞼当て部が設けられる上押圧部の部分に、少なくとも一対の貫通孔が間隔を置いて設けられ、瞼当て部と一体に形成された巻き付き部が貫通孔を通って前記両貫通孔の間の上押圧部に巻き付いている要素が請求項１乃至請求項３に限定的に付加された構成である。請求項５は、巻き付け部が、瞼当て部と一体に切れ目なく連結して上押圧部に巻き付いている要素が請求項４に限定的に付加された構成であり、請求項６は、巻き付け部が、瞼当て部の上縁と下縁を一体に連結するように上押圧部に巻き付いている要素が請求項５に限定的に付加された構成である。請求項７は、巻き付け部が瞼当て部の両端部及び中央部に存在する要素が請求項４乃至請求項６に限定的に付加された構成である。
【０００７】
請求項８は、まつ毛を上方から押圧する上押圧部と、まつ毛を下方から押圧する下押圧部を有し、それぞれの押圧部に挟圧部が設けられ、下押圧部はそれが設けられている基台部よりも弾力性のある材料で形成され、且つ下押圧部はその弾力性により基台部に設けた溝に着脱自在に装着可能であるまつ毛カール器において、下押圧部の前記溝に嵌合している基部と前記溝から露出している頭部との境において頭部の少なくとも一方の側面が基部よりも張り出すように段部が形成されている構成である。請求項９は、予備の下押圧部を収納するためのスペア溝を有し、下押圧部の挟圧部及び底部がスペア溝の両内側面に圧接するように嵌合して収納される要素が請求項８に限定的に付加された構成である。
【０００８】
請求項１０は、まつ毛を上方から押圧する上押圧部が設けられた把持部と、まつ毛を下方から押圧する下押圧部を有する基台部とを含み、それぞれの押圧部に挟圧部が設けられ、前記基台部は上下に一定範囲摺動可能となるように把持部に取り付けられ、まつ毛カール器の背面側に取り付けたレバーの操作により基台部が摺動してまつ毛カール器の正面側でまつ毛の挟圧が行われるまつ毛カール器において、把持部の奥行きの長さは把持部の縦の長さ及び横の長さのいずれよりも小さく形成され、且つ把持部の一方の側部はそれと同じ側のまつ毛カール器の他の側部より膨出する膨出部が形成されている構成である。請求項１１は、その膨出部が外側に凸の弧状をなしている要素が請求項１０に限定的に付加された構成である。
【発明の効果】
【０００９】
請求項１は、まつ毛を上方から押圧する上押圧部と、まつ毛を下方から押圧する下押圧部を有し、それぞれの押圧部に挟圧部が設けられ、使用時に瞼に接する上押圧部の正面の少なくとも一部に上押圧部よりも摩擦係数の大きな瞼当て部が設けられている。したがって、まつ毛をカールする際に上押圧部の正面を瞼に宛がったときに、瞼当て部は摩擦係数が大きいので瞼当て部と瞼との間に大きな摩擦力が生じる。この結果、瞼に対して瞼当て部は相対的に固定されるのでまつ毛を所定の位置に確実に取付けることができる。また、瞼当て部と瞼との間に大きな摩擦力が生じるので、瞼当て部を単に瞼に宛がうだけでなく、瞼に宛がってから瞼当て部で瞼を上方に押し上げたり、最初から瞼を押し上げるように瞼当て部を宛がうことができる。このように、瞼を押し上げて使用するとまつ毛を根元からカールすることができる。特に、奥二重や瞼の重たい人が使用するときに効果的である。従来品の瞼当て部は摩擦力が小さいので瞼当て部は瞼の上を滑ってしまい、瞼を確実に押し上げることができなかった。
【００１０】
請求項２は、瞼当て部が上押圧部の挟圧部から間隔を置いた上方に設けられている。まつ毛を確実にカールするためには上押圧部の挟圧部は硬質の材料で形成する必要がある。瞼当て部を挟圧部から間隔をおいて設けてあるので挟圧部を硬質とすることができる。請求項３は、瞼当て部が上押圧部の長さ方向に亘って一連に延びている構成であるから、瞼当て部と瞼の間にはほぼ全長に亘って大きな摩擦力が生じ、瞼当て部を瞼に対して相対的にしっかり固定できる。
【００１１】
請求項４は、瞼当て部が設けられる上押圧部の部分に、少なくとも一対の貫通孔が間隔を置いて設けられ、瞼当て部と一体に形成された巻き付き部が貫通孔を通って前記両貫通孔の間の上押圧部に巻き付いている。したがって、巻き付け部が１つ又は２つの貫通孔を通って上押圧部に巻き付いているので、瞼当て部の一部又は全部が上押圧部の所定の位置から外れることを防止できる。請求項５は、巻き付け部が、瞼当て部と一体に切れ目なく連結して上押圧部に巻き付いているので、瞼当て部を射出成形で容易に形成することができる。請求項６は、巻き付け部が、瞼当て部の上縁と下縁を一体に連結するように上押圧部に巻き付いているので、瞼当て部の上縁や下縁が剥がれる虞がない。請求項７は、巻き付け部が瞼当て部の両端部及び中央部に存在する構成である。したがって、瞼当て部が上押圧部の所定の位置に確実に保持される。
【００１２】
請求項８は、溝に嵌合している下押圧部の基部と、溝から露出している下押圧部の頭部との境において頭部の少なくとも一方の側面が基部よりも張り出すように段部が形成されている構成である。頭部は基部よりも張り出しているので、頭部を溝に入れることができず、下押圧部を上下逆にして溝に入れることを防止できる。また、頭部の幅が狭いとまつ毛を挟圧するときにまつ毛が柔軟性のある頭部から外れた位置で挟圧されることがあり、そのようなときにまつ毛が切れる虞があったが、請求項８の構成によれば頭部の幅が広くなるのでまつ毛が切れることを防止できる。請求項９は、予備の下押圧部を収納するためのスペア溝を有し、下押圧部の挟圧部及び底部がスペア溝の両内側面に圧接するように嵌合して収納される構成である。下押圧部が円弧状に延びるように形成されたときに、その円弧状の状態でスペア溝に収納するときはスペア溝も同様に円弧状に延びるように形成する必要がある。そのようなスペア溝は把持部の円弧状周面に形成することが最も容易である。把持部の円弧状周面にスペア溝を形成した場合、下押圧部の挟圧部及び底部がスペア溝の両内側面に圧接するように嵌合して収納したときは、下押圧部は当初の円弧状のままそのスペア溝に無理なく収納することができる。
【００１３】
請求項１０は、基台部が上下に一定範囲摺動可能となるように把持部に取り付けられ、まつ毛カール器の背面側に取り付けたレバーの操作により基台部が摺動してまつ毛カール器の正面側でまつ毛の挟圧が行われ、把持部の奥行きの長さは把持部の縦の長さ及び横の長さのいずれよりも小さく形成され、且つ把持部の一方の側部はそれと同じ側のまつ毛カール器の他の側部より膨出する膨出部が形成されている構成である。把持部とレバーを親指と人差し指で持って瞼に宛がう場合は、まつ毛カール器をしっかり固定しようとするとレバーが簡単に閉じようとするので不安定となってしっかり固定できない。そこで、親指と人差し指の指先で膨出部を摘めばしっかり固定できるので、瞼に確実に宛がうことができる。そして中指でレバーを操作すればよい。請求項１１は、その膨出部が外側に凸の弧状をなしているので、まつ毛カール器全体を手で持ったときに違和感のない良好な感触を与えることができる。
【発明を実施するための最良の形態】
【００１４】
次に本発明を実施するための最良の形態について説明する。まつ毛カール器は図２に示すようにアクリル樹脂、ＡＢＳ樹脂あるいはポリカーボネート樹脂のように比較的硬質なプラスチックで全体が比較的薄く形成され、レバー１が回動可能に取り付けられ通常は畳まれている。基台部３は上下に摺動可能となるように把持部２に取り付けられており、上端に設けられた溝１２にゴム製の下押圧部５が嵌合されている。基台部３はアクリル樹脂などの硬質のプラスチックで形成されるが、プラスチックに限定されるものでない。下押圧部５の材料はゴムに限定されないことは勿論であり弾力性のある材料、例えばエラストマーのようにゴムのような弾性を有する材料であればよい。下押圧部５は図５に示すように胴部１３の上に頭部１４が一体に形成され、それらの境には段差１５が形成されて頭部１４の下端が胴部１３よりも張り出している。また、下押圧部４は弧状をなして長さ方向に延びている。これは、下押圧部４を溝１２に装着するときに容易に行えるようにするためである。下押圧部４の装着状態は図２に示すように胴部１３が溝１２に嵌合され、頭部１４は溝１２の上方に露出している。把持部２の底部弧状周面に沿って上押圧部４のスペア３２を収納するためのスペア溝２７が形成されており、スペア３２の挟圧部及び底部がスペア溝の両内側面に圧接するように、即ち横に寝かせるように嵌合して収納される。図５に示すようにスペア３２は弧状をなして延び、スペア溝２７も弧状周面に沿って形成されているので共に弧状をなし、スペア３２の端部がスペア溝２７から外れて溝の外に突出する虞がない。また、図１の点線で示すようにスペア溝２７は膨出部２９寄りに偏倚している。まつ毛カール器の縦の長さは約６０ｍｍであり厚さは１６ｍｍであって、上押圧部６の左右方向の幅は約３５ｍｍである。また、膨出部２９を含めた把持部２の左右方向の幅は約４０ｍｍである。ただし、本発明のまつ毛カール器がこの数値に限定されないことは勿論である。
【００１５】
まつ毛カール器を使用するときは、図３に示すようにレバー１を反転させ、このレバー１と把持部２に指を宛がい、レバー１を把持部２方向に押すことにより基台部３が上方に摺動する。基台部３が上方に摺動すると基台部の上端に取り付けられたゴム製の下押圧部４の挟圧部５と、上押圧部６の挟圧部７が圧接してまつ毛をカールさせる。レバー１を把持部２方向に押すことにより基台部３が上方に摺動する構成は特開２００１−２０４５３５に記載されたとおりである。この構成について簡単に説明すると、基台部３は下押圧部４を取り付けた上端部から底部８まで延びており、コイルバネ９が内装されている。コイルバネ９の下端は底部８の内面に当接し、コイルバネ９の上端は把持部２と一体に形成された上壁１０に当接している。基台部３の両側には張り出し部（図示せず。）が側方に突出し、それらの張り出し部の下方に爪１１が宛がわれている。爪１１は把持部２に対し回動可能に取り付けられており、レバー１を反転させ把持部２方向に押すことによりレバー１は回動し、レバーの基部１７が爪１１を押すことにより爪１１は図２において時計回りに回動し、爪１１の先端部が前記基台部３の張り出し部を下方から押し上げる。この操作によって基台部３はコイルバネ９を縮ませながらその弾性力に抗して上方に摺動するのである。
【００１６】
上押圧部６の正面に瞼当て部１６が設けられている。瞼当て部１６には摩擦係数の比較的大きな材料、例えばエラストマーやシリコーンゴムなどゴム弾性も有する材料が使用される。瞼当て部１６は上押圧部６の挟圧部７から間隔を置いた上方部分から上押圧部６の上面にかけて設けられている。瞼当て部１６の表面は上押圧部６の表面と面一に形成されているが、これに限定されるものでなく瞼当て部１６の表面が上押圧部６の表面よりもやや高くてもよく、あるいはやや低くてもよい。
【００１７】
次に、瞼当て部１６を上押圧部６に設ける方法について説明する。図６に示すように上押圧部６の正面側に瞼当て部１６を設けるために、上押圧部６の挟圧部７から間隔を置いた上方部分から上押圧部６の上面にかけて所定の厚みで削り取ったような凹部１８が形成されている。また、凹部の底面２０は挟圧部７よりも上方になるように形成されている。凹部１８の両端部及び中央部には、凹部の壁面１９に沿い下方に貫通する垂直孔２１，２１，２２が設けられ、凹部の底面２０に沿い上押圧部６の厚み方向に貫通する水平孔２３，２３，２４が設けられている。図７に示すようにこれらの垂直孔と水平孔を設けることによりブリッジ部２５，２６が形成され、ブリッジ部２５、２６の内部で垂直孔と水平孔が交差する部分は直角をなす。また図２に示すようにこの直角の角部を取り去ることによりその分だけブリッジ部２６は薄く形成することもできる。このように形成された凹部１８内にエラストマーなどの材料を射出することにより瞼当て部１６が形成される。射出されたエラストマーは一対の垂直孔２１（２２）と水平孔２３（２４）を通って一体に連結して巻き付け部２８が形成され、その巻き付き部２８がブリッジ部２５、２６に巻き付くので、瞼当て部１６が上押圧部６から外れる虞がない。図８に示すようにブリッジ部２５，２６が形成されていない他の部分は瞼当て部１６が上押圧部６に張り付いた状態をなす。図６に示すように凹部１８は上押圧部６の横方向に延びているから、瞼当て部１６も横方向に一連に延びている。
【００１８】
本発明の瞼当て部１６はこのような構成に限定されるものでなく、複数の瞼当て部が横方向に並ぶものでもよい。また、図７に示すように巻き付き部２８はブリッジ部２５，２６の内部で一体に連結して巻き付いているが、巻き付き部２８に切れ目があって一体に連結していなくてもよい。ブリッジ部２５，２６を構成する一対の孔は上方の垂直孔２１（２２）と下方の水平孔２３（２４）の上下の一対であるが、横方向の左右一対の孔を設けてその孔の中間部分をブリッジ部としてもよい。さらに、瞼当て部はシート状に形成し上押圧部６に貼着してもよく、あるいは着脱自在に上押圧部６に係合させてもよい。
【００１９】
図１に示すように把持部２にその一方の側部から外側に膨出する膨出部２９が形成されている。把持部に膨出部２９が存在しない従来のまつ毛カール器を使用するときは、親指を把持部２に宛がい、人差し指をレバー１に宛がって２本の指でまつ毛カール器を操作する。このときは、手に持ったまつ毛カール器がやや不安定となる。本発明のように膨出部２９が存在する場合は、図４に示すように親指３０と人差し指３１で膨出部２９を持ち、中指でレバー１を回動する。このときは、膨出部２９を２本の指でしっかり持つのでまつ毛カール器を安定した状態で使用することができる。また、膨出部２９の部分に人差し指３１が宛がわれるので、レバー１を押すときにレバー１が人差し指３１に当たらず邪魔にならないのである。このほかの把持部２の持ち方としては、図２に示すように把持部２の背面に凹所３３が形成されているので、この部分に人差し指を宛がって使用することができる。
【図面の簡単な説明】
【００２０】
【図１】本発明の正面図
【図２】本発明の断面図
【図３】本発明のレバーを出した状態の側面図
【図４】本発明の使用状態を示す正面図
【図５】下押圧部の斜視図
【図６】瞼当て部を形成する前の上押圧部の一部斜視図
【図７】瞼当て部の形成状態を示す一部断面図
【図８】瞼当て部の形成状態を示す一部断面図
【符号の説明】
【００２１】
１  レバー
２  把持部
３  基台部
４  下押圧部
５  挟圧部
６  上押圧部
７  挟圧部
８  底部
９  コイルバネ
１０  上壁
１１  爪
１２  溝
１３  胴部
１４  頭部
１５  段差
１６  瞼当て部
１７  基部
１８  凹部
１９  壁面
２０  底面
２１  垂直孔
２２  垂直孔
２３  水平孔
２４  水平孔
２５  ブリッジ部
２６  ブリッジ部
２７  スペア溝
２８  巻き付き部
２９  膨出部
３０  親指
３１  人差し指
３２  スペア
３３  凹所
【図１】
2005312712.tif 000003
【図２】
2005312712.tif 000004
【図３】
2005312712.tif 000005
【図４】
2005312712.tif 000006
【図５】
2005312712.tif 000007
【図６】
2005312712.tif 000008
【図７】
2005312712.tif 000009
【図８】
2005312712.tif 000010